(57)【特許請求の範囲】
【請求項１】
心電計に電気接続する接触子と、接触子から伸長するリード線と、リード線の端末に設けた測定電極とを有する電極本体と、
一方面が該測定電極に対して、他方面が被験者が身体に対して各々着脱可能である粘着性を有する導電性ゲルでなるシート状の粘着パッドに、前記一方面を覆うように被覆シートを積層して貼り付けてなる被覆シート付き粘着パッドと、を備えており、
前記被覆シートには、測定電極の外周面と接触しない大きな面積で開口し粘着パッドを外部に露出させる取付孔が貫通形成されており、
前記被覆シート付き粘着パッドは、被験者の身体への装着時には被覆シートの取付孔を通じて露出する粘着パッドに測定電極の貼付面を貼り付けることで、粘着パッドの粘着力により被覆シートと測定電極を身体の皮膚面に保持し、心電計による測定後には測定電極を被覆シートの取付孔を通じて粘着パッドから引き剥がすことで、廃棄のため電極本体と分離するものとなっている心電計用電極。
【請求項２】
粘着パッドに対する測定電極の貼付面が平坦な電極面である請求項１記載の心電計用電極。
【請求項３】
被覆シート付き粘着パッドの粘着パッド又は被覆シートの少なくとも何れかに肉厚を貫通するとともにそれらの外縁に至る切欠を設け、リード線を該切欠に通して粘着パッドと被験者の身体との間、又は粘着パッドと被覆シートとの間に挟んで保持する請求項１又は請求項２記載の心電計用電極。
【請求項４】
測定電極の電極面がカーボン又は銀−塩化銀でなり、リード線がカーボンでなる請求項１〜請求項３何れか１項記載の心電計用電極。
【請求項５】
被覆シート付き粘着パッドの被覆シートが非粘着性である請求項１〜請求項４何れか１項記載の心電計用電極。
【発明の詳細な説明】
【技術分野】
【０００１】
本発明は、誘導心電図検査を行う際に被験者の身体に貼付けて使用する心電計用電極に関する。
【背景技術】
【０００２】
誘導心電図検査は、被験者の身体に心電計用電極を貼付けて心電図を出力し、被験者の疾患を読取る検査である。この検査では、複数本の心電計用電極が使用される。例えば四肢誘導であれば左手、右手、左足、右足に各々貼付ける４本の心電計用電極を必要とし、また胸部誘導であれば６本の心電計用電極を必要とする。これら心電計用電極は、身体に貼付ける電極パッドと、電極パッドから伸長するリード線と、リード線の末端に取付けられて心電計の接続端に接続する接触子とで構成されている（関連技術として特許文献１）。このうち電極パッドは、身体の皮膚面に追従し密着するための柔軟性と、電気信号を伝達するための導電性のあるゲル層を備えている。
【特許文献１】特開２００５−１０３１３５号公報
【発明の開示】
【発明が解決しようとする課題】
【０００３】
ところで心電計用電極は、以下のような事情から被験者ごとに使い捨てる傾向にあり、実際に使い捨て用のものが市場に提供されている。第１は、電極パッドの表面に被験者の体脂や角質が付着すると、電極パッドの界面活性が妨げられて電気特性が落ち、正確な測定ができなくなるためである。第２は、第１と同様に電極パッドの表面に被験者の体脂や角質が付着すると、電極パッドの粘着性が低下して皮膚面に貼付き難くなり、ノイズが多くなって測定精度が悪化するためである。第３は、被験者間の交差感染を防ぐためである。ところがこうした必要性があるにも拘わらず実際は、心電計用電極を１回ごとに使い捨ててしまうと、心電計用電極が高価であり医療費の高騰につながることや、資源の有効利用による医療廃棄物の減少という社会環境的な側面では必ずしも望ましいとは言えないことから、なかなか普及が進まないのが現状である。
【０００４】
以上のような従来技術を背景になされたのが本発明である。すなわち本発明の目的は、正確な測定の実現と交差感染の防止という使い捨て用途を基本としつつ、普及の妨げとなっているコスト面での阻害要因を解消し、なお且つ資源の有効利用という社会環境的な価値要請にも適うことのできる心電計用電極を提供することにある。
【課題を解決するための手段】
【０００５】
上記目的を達成すべく本発明は、以下のように構成される。
【０００６】
本発明は、心電計に電気接続する接触子と、接触子から伸長するリード線と、リード線の端末に設けた測定電極とを有する電極本体と、一方面が該測定電極に対して、他方面が被験者の身体に対して各々着脱可能であるシート状の粘着パッドと、を備える心電計用電極を提供する。
【０００７】
本発明の心電計用電極では粘着パッドが測定電極に対して着脱可能であるため、粘着パッドを測定電極から容易に剥がすことができる。つまり電極本体と粘着パッドを分離できる。このため使用済みの粘着パッドを剥がして廃棄し、未使用の粘着パッドを測定電極に貼付けるようにして交換することができる。よって被験者ごとに未使用の新しい粘着パッドを使用することができる。
【０００８】
本発明は前記心電計用電極について、粘着パッドに対する測定電極の接触面を平坦な電極面とする。
【０００９】
本発明によれば測定電極を粘着パッドに対して面で密着させることができる。したがって粘着パッドの密着面積を大きくすることができ、粘着パッドによる測定電極の保持力を高めることができ、正確な測定を実現できる。
【００１０】
本発明は前記心電計用電極について、粘着パッドの一方面に、測定電極を粘着パッドに密着させるよう貫入する取付孔を有する被覆シートを備える。
【００１１】
本発明によれば被覆シートの取付孔によって粘着パッドの一方面が部分的に露出するため、測定電極をこの取付孔に貫入すればその電極面を粘着パッドの一方面に容易に密着させることができる。
【００１２】
また本発明によれば粘着パッドの一方面に被覆シートを備えるため、この被覆シートが補強材となって粘着パッドの変形を防ぐことができる。よって柔軟な粘着パッドであっても皺の発生などによる変形や破損を防止することができる。また被覆シートを非粘着性とすれば、粘着パッドの一方面側がべとつかなくなるため、容易に取扱うことができる。
【００１３】
本発明は前記心電計用電極について、粘着パッド又は被覆シートの少なくとも何れかに、肉厚を貫通する切欠を設ける。
【００１４】
この切欠にリード線を通せば、粘着パッド、被覆シート、被験者の身体を利用してリード線と測定電極が外れないよう確実に固定できる。例えば粘着パッドに切欠を設けた場合、粘着パッドの一方面側（表面側）にある測定電極から伸びるリード線を、この切欠を通して粘着パッドの他方面側（裏面側）に配線して被験者に貼付ける。こうすることで粘着パッドの他方面（裏面）と身体の皮膚面との間にリード線が挟み込まれることとなって確実に固定することができる。また粘着パッドの一方面（表面）に備える被覆シートに切欠を設けた場合は、被覆シートの一方面側（表面側）にある測定電極から伸びるリード線を、被覆シートの切欠を通して被覆シートの他方面（裏面）と粘着パッドとの間に配線して被験者に貼付ける。こうすることで被覆シートと粘着パッドとの間にリード線が挟み込まれることとなって確実に固定することができる。
【００１５】
本発明は前記心電計用電極について、測定電極がカーボン又は銀−塩化銀でなり、リード線がカーボンでなる。
【００１６】
カーボンや銀−塩化銀はＸ線を透過する性質を有する。本発明ではこれらの材料で測定電極やリード線を形成するため、心電計用電極を被験者に貼付けた状態で、レントゲン撮影を行うことができる。
【発明の効果】
【００１７】
本発明の心電計用電極によれば、使用済みの粘着パッドを電極本体から分離して未使用のものに容易に交換することができ、被験者ごとに新しい粘着パッドを使用できる。したがって正確な測定を実現でき、被験者間の交差感染も防ぐことができる。また被験者ごとに交換する部材は粘着パッドのみであり、接触子、リード線及び測定電極からなる電極本体については繰り返し使うことができる。このため全体を使い捨てる既存のディスポーザブル仕様の心電計用電極と比較して、誘導心電図検査を安価に行うことができ、また資源の有効利用という社会環境的な価値要請にも応えることができる。よって使い捨て用の心電計用電極の普及の妨げとされていた阻害要因を解消することができ、より正確でより安全な心電図検査の実施に貢献することができる。
【発明を実施するための最良の形態】
【００１８】
以下、本発明の実施形態の例について図面を参照しつつ説明する。なお、各実施形態で共通する構成については、同一符号を付して重複説明を省略する。
【００１９】
第１実施形態〔図１〜図３〕
第１実施形態の心電計用電極１は、電極本体２と粘着パッド３を備えている。このうち電極本体２は接触子４、リード線５及び測定電極６により構成される。
【００２０】
接触子４は、硬質樹脂でなる筒状カバーの中に図外の心電計に接続する端子を備えており、その端子にリード線５が接続されている。
【００２１】
リード線５は、導電性でＸ線透過性のカーボンファイバーでなる心線５ａを、ポリエチレン樹脂等の絶縁性でＸ線透過性の軟質樹脂でなる被覆５ｂで覆って構成されている。
【００２２】
測定電極６は、ＡＢＳ樹脂等のＸ線透過性の硬質樹脂でなる浅い逆椀状の容器６ａを備えている。前述のリード線５は、容器６ａの開口端側にある導入孔６ｂから中に導入されて、その心線５ａが電極６ｃに固定される。電極６ｃは銀−塩化銀等のＸ線透過性の導電材にて形成されている。その底面には円形で平坦な電極面６ｄが形成されており、容器６ａの開口から表出している。
【００２３】
粘着パッド３は、柔軟な導電性ゲルでなり、平面視で隅丸矩形状のシートである。この粘着パッド３の一方面３ａには「被覆シート」としての不織布シート７が粘着している。不織布シート７には円形の取付孔７ａが貫通形成されており、その取付孔７ａを通じて測定電極６の電極面６ｄが粘着パッド３の一方面３ａに貼付けられる。なお、測定電極６、不織布シート７、及び身体の皮膚面Ｈｓに対する密着は粘着パッド３自体の粘着性を利用している。
【００２４】
以上のような心電計用電極１を使用する際には、不織布シート７付きの粘着パッド３を被験者の皮膚面Ｈｓに貼付けて、取付孔７ａを通じて露出する粘着パッド３に測定電極６の電極面６ｄを貼付けるようにする。測定後は測定電極６と粘着パッド３を不織布シート７ごと皮膚面Ｈｓから引き剥がすとともに、粘着パッド３については不織布シート７ごと測定電極６から引き剥がして廃棄してしまう。そして次の検査は、以上と同様の手順で未使用の不織布シート７付きの粘着パッド３を使って行えばよい。なお、予め粘着パッド３に測定電極６を貼付けてから、皮膚面Ｈｓに貼付けてもよい。
【００２５】
次に、本実施形態の心電計用電極１の作用・効果を説明する。
【００２６】
心電計用電極１は、前述のように電極本体２から使用済みの粘着パッド３を不織布シート７ごと容易に分離することができる。また未使用の不織布シート７付きの粘着パッド３に測定電極６を容易に貼付けることができる。このようにして被験者ごとに常に新しい粘着パッド３を使用することで、被験者ごとに正確な測定を実現することができ、また被験者間の交差感染を確実に防ぐことができる。
【００２７】
また被験者ごとに交換するのは粘着パッド３のみであり、電極本体２については耐用回数まで繰り返し使用することができる。したがって、すべてを使い捨てる既存のディスポーザブル用の心電計用電極と比べて、検査コストを削減することができ、また資源の有効利用という社会環境的な価値要請にも応えることができる。
【００２８】
心電計用電極１の使用に際しては、円形の平坦な電極面６ｄを粘着パッド３の一方面３ａに対して面で密着させるため、粘着パッド３との密着面積を大きくとることができる。よって粘着パッド３による測定電極６の保持力を高めることができ、正確な測定を実現できる。
【００２９】
不織布シート７が柔軟性のあるゲル材でなる粘着パッド３の変形を拘束する。このため皺の発生等による変形や破損を防止することができる。また不織布シート７は非粘着性であるため、粘着パッド３の一方面３ａ側がべとつかなくなり、容易に取扱うことができる。
【００３０】
測定電極６及びリード線５の心線５ａの材料がＸ線透過性であるため、心電計用電極１を被験者の身体に貼付けたままレントゲン撮影を行うことができる。
【００３１】
第２実施形態〔図４，図５〕
第２実施形態の心電計用電極８が、第１実施形態の心電計用電極１と異なるのは、粘着パッド３と不織布シート７の構成である。残余の構成及び作用・効果は第１実施形態と同様である。
【００３２】
本実施形態の粘着パッド３と不織布シート７には、それぞれの肉厚を貫通する切欠３ｃ，７ｂが形成されている。そして心電計用電極８の使用時には、粘着パッド３を被験者の皮膚面Ｈｓに貼付けるとともに測定電極６を粘着パッド３に貼付けるが、このとき切欠３ｃ，７ｂから捲り上げるようにして粘着パッド３の下側にリード線５を通すようにする。そして捲り上げた部分でリード線５を上から押さえながら皮膚面Ｈｓに貼付ける。こうすることでリード線５をしっかりと押さえることができ、引っ張られても粘着パッド３から測定電極６が脱離するのを防ぐことができる。
【００３３】
また第１実施形態で説明したように、容器６ａの導入孔６ｂはその開口端側に形成されている。具体的には不織布シート７の厚みをやや超える開口端側位置にある。このため導入孔６ｂから切欠３ｃ，７ｂにかけてリード線５を斜めに架け渡すようにして配線するのではなく、不織布シート７の表面に這わせるようにして配線することができる。したがってリード線５を切欠３ｃ，７ｂから粘着パッド３の下側に配線した場合であっても、皮膚面Ｈｓからの粘着パッド３の浮き（捲れ）を極力少なくすることができ、リード線５を確実に保持することができる。
【００３４】
なお本実施形態ではリード線５を粘着パッド３と皮膚面Ｈｓとの間で挟んで保持する例を説明したが、粘着パッド３と不織布シート７との間で挟んで保持してもよい。
【００３５】
実施形態の変形例
以上説明したほか、第１及び第２実施形態の心電計用電極１，８は例えば以下のように実施することもできる。
【００３６】
前記実施形態では被覆シートとして不織布シート７の例を説明したが、不織布ではなく樹脂フィルムや紙材などを用いることもできる。また粘着パッド３に不織布シート７を貼付ける例を説明したが、粘着パッド３だけでもよい。この場合の粘着パッド３は粘着性ゲル層と、取付孔７ａを有し前述の不織布シート７に相当する非粘着性ゲル層との積層構造として構成できる。そして粘着性ゲル層と非粘着性ゲル層との間に、例えば樹脂材でなる網目状の補強層を介在させることで面剛性を高めて、取扱い性を向上させることもできる。
【図面の簡単な説明】
【００３７】
【図１】第１実施形態の心電計用電極の説明図。
【図２】第１実施形態の心電計用電極の要部分解説明図。
【図３】第１実施形態の心電計用電極の要部断面図。
【図４】第２実施形態の心電計用電極の要部上面図。
【図５】図４のＳＡ−ＳＡ線断面図。
【符号の説明】
【００３８】
１    心電計用電極（第１実施形態）
２    電極本体
３    粘着パッド
３ａ  一方面
３ｂ  他方面
３ｃ  切欠
４    接触子
５    リード線
５ａ  心線
５ｂ  被覆
６    測定電極
６ａ  容器
６ｂ  導入孔
６ｃ  電極
６ｄ  電極面
７    不織布シート
７ａ  貫通孔
７ｂ  切欠
８    心電計用電極（第２実施形態）
Ｈｓ  皮膚面
【図１】
0004709672.tif 000002
【図２】
0004709672.tif 000003
【図３】
0004709672.tif 000004
【図４】
0004709672.tif 000005
【図５】
0004709672.tif 000006